(57)【特許請求の範囲】
【請求項１】
心線を導出入する心線導出入部４０Ａ，４０Ｂと、該心線導出入部４０Ａ，４０Ｂから入る心線相互を接続したコネクタを収納するコネクタ収納部２３Ａ〜２３Ｆと、余長心線を巻回して収納する余長心線収納部３０Ａ〜３０Ｆとを複数備えた心線接続余長収納ケース１０において、前記コネクタ収納部２３Ａ〜２３Ｆ及び前記余長心線収納部３０Ａ〜３０Ｆを備えた一対のトレイ本体１１，１２を、該トレイ本体１０の一外縁部両端に二つの屈曲部１３ｂ，１３ｄを有するヒンジ部１３を設けて開閉自在に連結するとともに、前記ヒンジ部１３はトレイ本体１１，１２の底面に平行なヒンジ片１３ａの両側に薄肉の屈曲部１３ｂ，１３ｂを設けてヒンジ片１３ａと垂直なヒンジ片１３ｃ，１３ｃを連結し、さらにヒンジ片１３ｃとトレイ本体１１，１２とをそれぞれ薄肉の屈曲部１３ｄ，１３ｄによって連結したダブルヒンジ部１３としたもので、このダブルヒンジ部１３の両側の前記トレイ本体１１及び１２の外縁部にリブ２８を設け、前記心線接続余長収納ケース１０を閉じたときに前記ヒンジ部１３と前記リブ２８とで構成される空間により前記心線導出入部４０Ａ，４０Ｂを形成したことを特徴とする心線接続余長収納ケース。
【請求項２】
請求項１に記載の心線接続余長収納ケース１０において、前記トレイ本体１１，１２には、それぞれ複数の前記余長心線収納部３０Ａ〜３０Ｆが並設されており、少なくとも１つの前記余長心線収納部３０Ａは、前記心線のガイドリブ１７と１８とで形成された第１出入口と、並設する他の余長心線収納部３０Ｂに隣接して設けられ、前記心線の入口側となった心線導出入部側に前記心線を送り出すための前記心線のリブ２０と２１とで形成された第２出入口Ｊ２とを備えることを特徴とする心線接続余長収納ケース。
【請求項３】
請求項１又は請求項２に記載の心線接続余長収納ケース１０において、それぞれの前記トレイ本体１１，１２には余長心線収納部３０Ａ〜３０Ｆに略円形状に設けられたリブ１９と、リブ１９の半径外方向に所定間隔を隔ててリブ１９を囲むように設けられたリブ２０を備え、各リブ１９の外側に心線を接続するコネクタ収納部２３Ａ〜２３Ｆが設けられ、一方の前記トレイ本体１２に複数あるリブ１９の中心位置に係合用穴２４を設け、他方の前記トレイ本体１１に複数あるリブ１９の中心位置に外方向に突出する係合用突起２５を設けて、前記心線接続余長収納ケース１０を積み重ねたときに一方の前記心線接続余長収納ケース１０の前記係合用突起２５が他方の前記心線接続余長収納ケース１０の前記係合用穴２４にそれぞれ嵌合するようにしたことを特徴とする心線接続余長収納ケース。
【発明の詳細な説明】
【０００１】
【発明の属する技術分野】
本発明は、通信ケーブル、特に光ファイバ心線を有する光ケーブルの接続部を保護し、余長心線を収納する心線接続余長収納ケースに関するものである。
【０００２】
【従来の技術】
従来より、光ケーブル用クロージャには、ケーブル心線相互を接続するとともにケーブル心線の余長分を収納するための心線接続余長収納ケースが用いられている。このケースは、トレイ本体に、心線を導出入する部分となる心線導出入部と、その心線導出入部からの心線相互を接続したコネクタを収納するコネクタ収納部と、余長心線を巻回して収納する余長心線収納部とを備えたものである。
【０００３】
【発明が解決しようとする課題】
しかし、前述の従来の心線接続余長収納ケースでは、心線導出入部を設けるためのスペースがトレイ本体に必要となり、トレイ本体すなわち心線接続余長収納ケースが大型化するという問題がある。特に、光ケーブル用クロージャ内での心線の配線の便宜のためには複数の心線導出入部を設けることが好ましいが、このような場合では、さらに心線接続余長収納ケースが大型化してしまうという問題がある。
したがって、本発明が解決しようとする課題は、心線接続余長収納ケースを大きくすることなく心線導出入部を複数設けることである。
【０００４】
【課題を解決するための手段】
上述の課題を解決するために、請求項１の発明は、心線を導出入する心線導出入部と、該心線導出入部から入る心線相互を接続したコネクタを収納するコネクタ収納部と、余長心線を巻回して収納する余長心線収納部とを複数備えた心線接続余長収納ケースにおいて、前記コネクタ収納部及び前記余長心線収納部を備えた一対のトレイ本体を、該トレイ本体の一外縁部両端に二つの屈曲部を有するヒンジ部を設けて開閉自在に連結するとともに、前記ヒンジ部はトレイ本体の底面に平行なヒンジ片の両側に薄肉の屈曲部を設けてヒンジ片と垂直なヒンジ片を連結し、さらにヒンジ片とトレイ本体とをそれぞれ薄肉の屈曲部によって連結したダブルヒンジ部としたもので、このダブルヒンジ部の両側の前記トレイ本体の外縁部に壁部を設け、前記心線接続余長収納ケースを閉じたときに前記ヒンジ部と前記リブとで構成される空間により前記心線導出入部を形成したことを特徴とする。
【０００５】
請求項２の発明は、請求項１に記載の心線接続余長収納ケースにおいて、前記トレイ本体には、それぞれ複数の前記余長心線収納部が並設されており、少なくとも１つの前記余長心線収納部は、前記心線のガイドリブとで形成された第１出入口と、並設する他の余長心線収納部に隣接して設けられ、前記心線の入口側となった心線導出入部側に前記心線を送り出すための前記心線のリブとで形成された第２出入口とを備えることを特徴とする。
【０００６】
請求項３の発明は、請求項１又は請求項２に記載の心線接続余長収納ケースにおいて、それぞれの前記トレイ本体には余長心線収納部に略円形状に設けられたリブと、リブの半径外方向に所定間隔を隔ててリブを囲むように設けられたリブを備え、各リブの外側に心線を接続するコネクタ収納部が設けられ、一方の前記トレイ本体に複数あるリブの中心位置に係合用穴を設け、他方の前記トレイ本体に複数あるリブの中心位置に外方向に突出する係合用突起を設けて、前記心線接続余長収納ケースを積み重ねたときに一方の前記心線接続余長収納ケースの前記係合用突起が他方の前記心線接続余長収納ケースの前記係合用穴にそれぞれ嵌合するようにしたことを特徴とする。
【０００７】
【作用】
請求項１の発明においては、トレイ本体を連結しているダブルヒンジ部とその両側に設けたリブとにより構成される空間が心線導出入部となり、この空間から心線がケース内に入り、コネクタで接続されるとともに余長心線が余長心線収納部に収納され、前記空間から外部に出される。したがって、心線導出入部をトレイ本体以外の部分に設けて、ケースの小型化を図ることができる。
【０００８】
請求項２の発明においては、それぞれ複数の余長心線収納部が並設されており、一方の第１出入口又は第２出入口から余長心線収納部内に心線を入れて、他方の第２出入口又は第１出入口から出せば、いずれか一方の心線導出入部から心線をケース内に入れ、その心線導出入部から再度心線を出すことができトレイ本体の配線形態を多用化でき取扱いやすくできる。
請求項３の発明においては、心線接続余長収納ケースが光ケーブル用クロージャ内で積み重ねられたときに、互いに重なり合う一方の心線接続余長収納ケースの係合用突起が他方の心線接続余長収納ケースの係合用穴に多数嵌合され、多重に重なり合う心線接続余長収納ケースが確実に連結される。
【０００９】
【発明の実施の形態】
以下、図面等を参照して、本発明の一実施形態について説明する。図１は、本発明の一実施形態である心線接続余長収納ケース（以下、単に「ケース」という。）１０の平面図であって開いた状態の内面側を示す図であり、図２は、図１に示すケース１０の左上側部分を詳細に示す平面図である。また、図３（Ａ）及び（Ｂ）並びに図４は、それぞれ図１中、Ａ、Ｂ及びＣ方向から見た側面図である。さらにまた、図５、図６、図７及び図８は、それぞれ図１中、Ｄ−Ｄ、Ｅ−Ｅ、Ｆ−Ｆ及びＧ−Ｇ断面を示す断面図である。さらに、図９及び図１０は、それぞれ図５のＨ部及びＩ部を詳細に示す断面図である。
ケース１０は、合成樹脂により一体成形された成形品であり、図１に示すように、略長方形状の外形を有し、内面側が同一形状に形成されたトレイ本体１１と１２とをヒンジ部１３及び１４で回動自在に連結したものである。
【００１０】
前記ヒンジ部１３はトレイ本体１１と１２とを連結する外縁部の両端に設けられ、図７に示す形状をなすダブルヒンジタイプのものである。ヒンジ部１３は、図７中、トレイ本体１１及び１２の底面に平行なヒンジ片１３ａの両側に薄肉の屈曲部１３ｂを設けてヒンジ片１３ａと垂直なヒンジ片１３ｃを連結し、さらにヒンジ片１３ｃとトレイ本体１１及び１２とを薄肉の屈曲部１３ｄによって連結したものである。さらに、このヒンジ部１３の両側（トレイ本体１１及び１２の外縁部）には、リブ（壁部）２８が立設されている。
【００１１】
これにより、トレイ本体１１と１２とを閉じ合わせたときは、図１１に示すように、リブ２８の上面同士が当接するとともに、ヒンジ部１３の屈曲部１３ｂ及び１３ｄが変形してヒンジ片１３ａがリブ２８に略平行に配置される。これらのヒンジ部１３とリブ２８とで構成される空間により、ケース１０への心線の出入口となる心線導出入部４０Ａ及び４０Ｂが形成される。したがって、トレイ本体１１や１２の内面領域に心線導出入部を設けない構造であるので、トレイ本体１１や１２の内面領域に他の構成部分の領域を広く確保することができ、また、ケース１０の小型化を図ることができる。
【００１２】
ヒンジ部１４は、図８に示す形状をなしており、トレイ本体１１及び１２の外縁部に設けたガイドリブ１５の上端部を、薄肉の屈曲部１４ａで連結したものである。ヒンジ部１４はヒンジ部１３の間に複数（本実施形態では３つ）設けられている。
ガイドリブ１５は、トレイ本体１１及び１２のヒンジ部１３及び１４が設けられた外縁部において、ヒンジ部１３が設けられた範囲を除いた略全範囲に設けられている。さらにこのガイドリブ１５と所定間隔を介してガイドリブ１７及び２９が設けられている。ガイドリブ１７は、各余長心線収納部３０Ａ等の略中央に設けられ、ガイドリブ２９は、隣接する余長心線収納部間（例えば３０Ａと３０Ｂとの間）を含む範囲に設けられている。これらのガイドリブ１５、１７及び２９により、心線通路を形成している。また、これらのガイドリブ１５、１７及び２９の所定位置には、前記心線通路を通る心線の浮きを防止するための押さえ片（舌状片）１６が設けられている。
【００１３】
余長心線収納部３０（３０Ａ〜３０Ｆ）は、トレイ本体１１及び１２の長手方向にそれぞれ３つ並設されている。
余長心線収納部３０は、略円形状に設けられたリブ１９と、リブ１９の半径外方向に所定間隔を隔ててリブ１９を囲むように設けられたリブ２０を備えている。
さらに、リブ２０の周回りの６か所には、リブ１９とリブ２０との間に収納される余長心線の浮きを防止する押さえ片（舌状片）２２が設けられている。さらにまた、ガイドリブ１７と所定間隔を隔ててガイドリブ１８が対向配置されており、ガイドリブ１７及び１８には、これらの間を通る心線の浮きを防止するための押さえ片１６が設けられている。これらのガイドリブ１７と１８とにより、余長心線収納部３０への出入口（第１出入口）Ｊ１を形成している。
【００１４】
また、余長心線収納部３０内のリブ１９の外側には、心線を接続するコネクタを収納するためのコネクタ収納部２３（２３Ａ〜２３Ｆ）となる２つの差込リブ２３ａが設けられている。
さらにまた、例えば余長心線収納部３０Ｂの外側であって余長心線収納部３０Ａ側かつガイドリブ１５側には、リブ２０の一部の範囲と所定間隔を隔ててリブ２１が対向配置されており、このリブ２０と２１とにより、余長心線収納部３０Ａへの出入口（第２出入口）Ｊ２を形成している。他の余長心線収納部３０Ｃ、３０Ｄ及び３０Ｅについても同様に設けられている。
【００１５】
トレイ本体１１と１２との各リブ１９の略中心位置には、それぞれ互いに係合可能な係合用突起２５と係合用穴２４とが設けられている。これらの係合用突起２５及び係合用穴２４は、ケース１０が積み重ねられたときに、重なり合うケース１０の一方の係合用突起２５が他方の係合用穴２４に入り込むことで、両者を連結させるためのものである。
【００１６】
トレイ本体１１と１２とにおいて、ヒンジ部１３で連結された外縁部と対向する外縁部には、それぞれ係止用孔２７と係止用爪部２６とが設けられている（図９及び図１０参照）。これらの係止用孔２７と係止用爪部２６とは、ケース１０を閉じたときに係合する部分である。
【００１７】
以上の構成からなるケース１０において、心線は、ケース１０のいずれか一方の心線導出入部４０Ａ又は４０Ｂから入ると、リブ２８とガイドリブ１５との間や、ガイドリブ１５と２９との間の心線通路を通るとともに押さえ片１６により押されられ、いずれかの余長心線収納部３０Ａ〜３０Ｆ内に入る。心線が余長心線収納部３０Ａ等内に入るときは、ガイドリブ１７と１８とで形成された出入口Ｊ１、又はリブ２０と２１とで形成された出入口Ｊ２を通る。そして、押さえ片２２によって押さえられるとともにリブ１９の回りを巻回され、かつコネクタ収納部２３Ａ等の差込リブ２３ａに取り付けられたコネクタ（図示せず）に接続される。そして、心線は、その余長心線収納部３０Ａ等から上述したいずれかの出入口Ｊ１又はＪ２を通って、いずれか一方の心線導出入部４０Ａ又は４０Ｂから外部に出る。
【００１８】
ここで、心線導出入部４０Ａ側から心線を入れる場合に、余長心線収納部３０Ａ、３０Ｂ、３０Ｃ及び３０Ｄに収納したときは、心線導出入部４０Ｂ側に出すことができる。すなわち、例えば余長心線収納部３０Ａに収納するときは、出入口Ｊ１を通して図１中、時計回りにリブ１９に巻回し、再度出入口Ｊ１を通して心線導出入部４０Ｂ側に出せば良い。他の余長心線収納部３０Ｂ、３０Ｃ及び３０Ｄについても同様である。
【００１９】
また、心線導出入部４０Ａ側から心線を入れて余長心線収納部３０Ｅ及び３０Ｆに収納したときは、心線導出入部４０Ａ又は４０Ｂのいずれの側にも出すことができる。すなわち、例えば余長心線収納部３０Ｅに収納するときは、出入口Ｊ１又はＪ２のいずれの出入口を通しても、余長心線収納部３０Ｅに入れることができる。ここで、出入口Ｊ１から入れれば、図１中、反時計回りに巻回され、再度出入口Ｊ１から出せば心線導出入部４０Ｂ側に心線を出すことができ、出入口Ｊ２から出せば心線導出入部４０Ａ側に出すことができる。一方、出入口Ｊ２から入れれば、図１中、時計回りに巻回され、出入口Ｊ１を通して心線導出入部４０Ａ側に出すことができる。
【００２０】
上述と同様に、心線導出入部４０Ｂ側から心線を入れる場合に、余長心線収納部３０Ｃ、３０Ｄ、３０Ｅ及び３０Ｆに収納したときは、反対側の心線導出入部４０Ａ側に出すことができ、余長心線収納部３０Ａ及び３０Ｂに収納したときは、心線導出入部４０Ａ又は４０Ｂのいずれの側にも出すことができる。
以上のように、いずれかの心線導出入部４０Ａ又は４０Ｂから心線をケース１０内に入れることができ、かつ心線の曲率を小さくすることなく（過負荷を加えることなく）、入口側となった心線導出入部４０Ａ又は４０Ｂと同一の又は異なる心線導出入部４０Ａ又は４０Ｂから出すことができる。これにより、心線の出入口側を自在として、光ケーブル用クロージャ内での心線の配線の便宜を図ることができる。
【００２１】
心線が収納されたケース１０は、トレイ本体１１と１２との図１中、表面側同士が対向するように閉じられ、係止用孔２７と係止用爪部２６とが係合される（図１２参照）。
なお、リブ２８は、トレイ本体１１及び１２のヒンジ部１３を設けた辺以外の３辺の外縁部にも設けられており、ケース１０を閉じたときは、トレイ本体１１及び１２のこれらのリブ２８上面同士が当接して、ケース１０内部を閉塞する。
【００２２】
ここで、心線導出入部４０Ａ又は４０Ｂには、貫通穴５１が形成されたゴム等の弾性変形可能な心線支持部材５０（図１１参照）が設けられ、心線は、この貫通穴５１を通ってケース１０内に入り、かつケース１０外に出る。この心線支持部材５０は、ケース１０を閉じたときに、心線導出入部４０Ａ及び４０Ｂにより保持される。ここで、ヒンジ部１３は、二つの屈曲部１３ｂ及び１３ｄを有していることから、ヒンジ部１３とその両側のリブ２８とで構成される空間の形状は、多少の変形が可能であるとともに、心線支持部材５０もまた弾性変形が可能であるので、心線導出入部４０Ａ及び４０Ｂに心線支持部材５０が保持されたときにヒンジ部１３及び心線支持部材５０が相互に変形して、両者の隙間を略なくすことができる。
このように心線支持部材５０を心線導出入部４０Ａ及び４０Ｂに介在させれば、心線が心線導出入部４０Ａ又は４０Ｂを通るときに、心線がヒンジ部１３のエッジに擦れること等を確実に防止することができる。
【００２３】
そして、ケース１０は、光ケーブル用クロージャ内に順次積み重ねられるようにして実装される（図１３参照）。この積み重ねは、係合用突起２５（トレイ本体１１）側が上側となるようにする。そして、下側のケース１０の係合用突起２５を、上側のケース１０の係合用穴２４に入れれば、重なり合うケース１０同士をネジ止め等することなく連結することができる（図１４参照）。
【００２４】
【発明の効果】
請求項１の発明によれば、心線導出入部をトレイ本体以外の部分に設け二つの屈曲部を有するダブルヒンジ部で連結したので、トレイ本体の心線導出入部以外の他の構成部分の領域を広く確保することができるほか一対のトレイ本体の開閉操作がスムーズであり、その結合も確実・安全であって、心線接続余長収納ケースの小型化を図ることができる。
請求項２の発明によれば、心線の曲率を小さくすることなく（過負荷を加えることなく）、第１出入口及び第２出入口を用いて、入口側となった心線導出入部と同一の又は異なる心線導出入部から心線を出すことができ、心線の出入口側を自在として、トレイ本体を多用の配線形態で活用でき作業性をも大巾に向上できて光ケーブル用クロージャ内での心線の配線の便宜を図ることができる。
請求項３の発明によれば、心線接続余収納ケースを積み重ねたときに、外れることなく安定した取扱操作もでき相互間をネジ止め等することなく安全・確実に連結することができる。
【図面の簡単な説明】
【図１】  本発明の一実施形態である心線接続余長収納ケースの平面図であって開いた状態の内面側を示す図である。
【図２】  図１に示すケースの左上側部分を詳細に示す平面図である。
【図３】  図１中、Ａ方向及びＢ方向から見た側面図である。
【図４】  図１中、Ｃ方向から見た側面図である。
【図５】  図１中、Ｄ−Ｄ断面を示す断面図である。
【図６】  図１中、Ｅ−Ｅ断面を示す断面図である。
【図７】  図１中、Ｆ−Ｆ断面を示す断面図である。
【図８】  図１中、Ｇ−Ｇ断面を示す断面図である。
【図９】  図５のＨ部を詳細に示す断面図である。
【図１０】  図５のＩ部を詳細に示す断面図である。
【図１１】  ケースを閉じたときの心線導出入部を示す図である。
【図１２】  ケースを閉じたときの係止用孔と係止用爪部とを示す図である。
【図１３】  ケースを順次積み重ねた状態を示す斜視図である。
【図１４】  下側のケースの係合用突起を、上側のケースの係合用穴に入れた状態を示す断面図である。
【符号の説明】
１０  心線接続余長収納ケース
１１、１２  トレイ本体
１３、１４  ヒンジ部
１３ａ、１３ｃ  ヒンジ片
１３ｂ、１３ｄ  屈曲部
１５  ガイドリブ
１６、２２  押さえ片
１７、１８  ガイドリブ
１９、２０、２１  リブ
２３  コネクタ収納部
２４  係合用穴
２５  係合用突起
２６  係止用爪部
２７  係止用孔
２８  リブ（壁部）
３０  余長心線収納部
４０  心線導出入部
５０  心線支持部材
Ｊ１  （第１）出入口
Ｊ２  （第２）出入口
【図１】
0003768336.tif 000002
【図２】
0003768336.tif 000003
【図３】
0003768336.tif 000004
【図４】
0003768336.tif 000005
【図５】
0003768336.tif 000006
【図６】
0003768336.tif 000007
【図７】
0003768336.tif 000008
【図８】
0003768336.tif 000009
【図９】
0003768336.tif 000010
【図１０】
0003768336.tif 000011
【図１１】
0003768336.tif 000012
【図１２】
0003768336.tif 000013
【図１３】
0003768336.tif 000014
【図１４】
0003768336.tif 000015